(57)【要約】【課題】テンキー部や専用の指紋入力部をなくして、正面のスペースを可能な限り小さくする。【解決手段】選択キー２−１と確定キー２−２を設ける。選択キー２−１に表示部２−３への情報の表示開始キー（スタートキー）を兼ねさせる。確定キー２−２に指紋の入力部を兼ねさせる。これにより、装置表面は、選択キー（スタートキー兼情報選択キー）２−１と、確定キー（指紋入力部兼情報確定キー）２−２と、表示部２−３の３つとなり、正面のスペースがテンキー部や専用の指紋入力部を設ける場合と比較して遙かに小さくなる。【選択図】  図１
2007148801.tif 000002
【特許請求の範囲】
【請求項１】
入力される指紋と登録されている指紋とを照合する指紋照合装置において、
情報を表示する表示部と、
この表示部に表示される情報より所望の情報を選択する選択キーと、
この選択キーによって選択された情報を有効情報として確定する確定キーとを備え、
前記確定キーは、前記指紋の入力部を兼ねている
ことを特徴とする指紋照合装置。
【請求項２】
請求項１に記載された指紋照合装置において、
前記表示部に表示される情報は記号情報である
ことを特徴とする指紋照合装置。
【請求項３】
請求項１に記載された指紋照合装置において、
前記表示部に表示される情報は操作メニューである
ことを特徴とする指紋照合装置。
【請求項４】
請求項１に記載された指紋照合装置において、
前記選択キーは、前記表示部への情報の表示開始キーを兼ねている
ことを特徴とする指紋照合装置。
【請求項５】
請求項１に記載された指紋照合装置において、
識別番号と対応づけて登録指紋を記憶する登録指紋記憶手段と、
前記選択キーと前記確定キーとを操作して有効情報として入力される識別番号に応ずる登録指紋を前記登録指紋記憶手段より読み出し、この読み出した登録指紋と前記指紋入力部を兼ねる確定キーを介して入力される指紋とを照合する照合手段と
を備えたことを特徴とする指紋照合装置。
【発明の詳細な説明】
【技術分野】
【０００１】
この発明は、入力される指紋と登録されている指紋とを照合する指紋照合装置に関するものである。
【背景技術】
【０００２】
従来より、この種の指紋照合装置として、図７にその概略を示すような指紋照合装置が用いられている（例えば、特許文献１参照）。この指紋照合装置１は、装置表面（正面）に、暗証番号の入力や装置自体に各種設定を行うためのテンキー部１−１と、操作者の指紋を読み取る指紋入力部１−２と、設定操作時あるいは照合操作時に操作者に各種の情報を表示する表示部１−３とを備えている。
【０００３】
この指紋照合装置１は、クリーンルームなど管理対象室への出入り口近傍の壁に取り付けられ、指紋入力部１−２より入力される入室希望者の指紋（照合指紋）と登録されている指紋（登録指紋）とが一致した場合に、表示部１−３に「照合ＯＫ」の表示を行うと共に管理対象室へのドアを解錠する（指紋照合操作）。
【０００４】
なお、照合指紋と登録指紋との照合は、１：Ｎ照合を行う場合と１：１照合を行う場合とがあり、１：１照合を行う場合にはテンキー部１−１より登録時に割り当てられたＩＤナンバ（識別番号）を入力する。また、この指紋照合装置１では、テンキー部１−１より暗証番号を入力し、この入力した暗証番号と登録されている暗証番号とが一致した場合に、管理対象室へのドアを解錠させることも可能である（暗証照合操作）。
【０００５】
指紋照合装置は、上述したように、管理対象室への出入り口近傍の壁に取り付けられる。この場合、場所によっては、取り付けられるスペースが狭く、取り付けが難しい場合もある。このため、指紋照合装置には、小型・コンパクト化が望まれる。特に、正面のスペースを小さくすることが望まれる。
【０００６】
【特許文献１】特開２００３−３０６３１号公報
【特許文献２】特開平１０−２２９９８０号公報
【発明の開示】
【発明が解決しようとする課題】
【０００７】
しかしながら、上述した従来の指紋照合装置１では、テンキー部１−１がネックとなり、正面のスペースを小さくすることができない。すなわち、テンキー部１−１を余り小さくすると操作性が低下するので、操作性を犠牲にしてまでテンキー部１−１を小さくすることができず、結果的に指紋照合装置１の表面上で大きなスペースを取らざるを得ない。また、テンキーのキー数が多いので、キーが故障して装置が使用できなくなる可能性が大きく、コストも高くなる。
【０００８】
これに対し、特許文献２では、テンキーの１つを指紋入力部と兼用させている。これにより、図７における指紋入力部１−２のスペースが不要となる。しかしながら、テンキーの数はそのままなので、テンキー部が装置表面上でスペースをとり、正面のスペースをそれほど小さくすることはできない。また、テンキーのキー数が多く、キーが故障して装置が使用できなくなる可能性が大きいという問題やコストが高くなるという問題は依然として残る。
【０００９】
本発明は、このような課題を解決するためになされたもので、その目的とするところは、テンキー部や専用の指紋入力部をなくして、正面のスペースを可能な限り小さくすることができる指紋照合装置を提供することにある。また、使用するキーの数が少なく、キーが故障して装置が使用できなくなる可能性が小さい、低コストの指紋照合装置を提供することにある。
【課題を解決するための手段】
【００１０】
このような目的を達成するために本発明は、入力される指紋と登録されている指紋とを照合する指紋照合装置において、情報を表示する表示部と、この表示部に表示される情報より所望の情報を選択する選択キーと、この選択キーによって選択された情報を有効情報として確定する確定キーとを設け、確定キーに指紋の入力部を兼ねさせたものである。
【００１１】
この発明によれば、例えば表示部に情報として数字を表示させ、所望の数字を選択キーにより選択し、選択した数字を確定キーにより確定するものとすれば、暗証番号などを入力することが可能となり、選択キーと確定キーと表示部との組合せでテンキー部と同等の機能を得ることができる。また、確定キーより指紋を入力することができ、専用の指紋入力部を必要としない。これにより、装置表面からテンキー部や専用の指紋入力部をなくして、正面のスペースを可能な限り小さくすることができるようになる。また、使用するキーの数を２つとして、キーの故障により装置が使用できなくなる可能性を小さくすることができ、低コストとすることもできようになる。
【００１２】
なお、本発明において、表示部に表示させる情報としては、アルファベットなどの文字も考えられる。本発明では、数字やアルファベットの文字などを記号情報とし、この記号情報を表示部に表示する。記号情報として、数字やアルファベットの文字を単独で表示するようにしてもよいし、組み合わせて表示するようにしてもよい。また、本発明において、表示部に表示させる情報は操作メニューであってもよい。例えば、操作メニューとして、「指紋照合」，「暗証照合」などのメニューを表示させる。ここで、指紋照合操作を行いたい場合、選択キーで「指紋照合」を選択し、確定キーで確定すればよい。暗証照合操作を行いたい場合、選択キーで「暗証照合」を選択し、確定キーで確定すればよい。
【００１３】
また、本発明において、選択キーに、表示部への情報の表示開始キー（スタートキー）を兼ねさせてもよい。例えば、表示部が「無表示」の状態にあり、この状態で選択キーがタッチされた場合、表示部への情報の表示が開始されるようにする。なお、必ずしも選択キーに表示開始キーを兼ねさせなくてもよく、確定キーに指紋入力部と表示開始キーを兼ねさせるようにしてもよい。また、電力消費が大きくはなるが、表示部を常に表示状態とし、表示開始キーを用いない構成としてもよい。
【発明の効果】
【００１４】
本発明によれば、選択キーと確定キーと表示部との組合せでテンキー部と同等の機能を得ることが可能であり、また確定キーより指紋を入力することができ、テンキー部や専用の指紋入力部をなくして、正面のスペースを可能な限り小さくすることができるようになる。また、使用するキーの数を２つとして、キーの故障により装置が使用できなくなる可能性を小さくすることができ、低コストとすることもできるようになる。
【発明を実施するための最良の形態】
【００１５】
以下、本発明を図面に基づいて詳細に説明する。図１はこの発明に係る指紋照合装置の一実施の形態の概略を示す正面図である。本実施の形態の指紋照合装置２は、装置表面（正面）に、選択キー２−１と、確定キー２−２と、表示部（ＬＣＤ）２−３とを備えている。
【００１６】
選択キー２−１は、表示部２−３に表示される情報の選択キーと表示部２−３への情報の表示開始キー（スタートキー）とを兼ねており、確定キー２−２は、選択キー２−１によって選択された情報を有効情報として確定する確定キーと指紋の入力部とを兼ねている。
【００１７】
図２にこの指紋照合装置２を用いた入退室管理システムの一例を示す。同図において、３はクリーンルームなどの管理対象室、４は管理対象室３の出入り口に設けられたドア、５はドア４に付設された電気錠、６は電気錠５の解錠／施錠を制御する電気錠コントローラである。指紋照合装置２は、室外の壁面に取り付けられ、電気錠コントローラ６と接続されている。
【００１８】
図３にこの指紋照合装置２のハード構成の概略を示す。指紋照合装置２は、選択キー（スタートキー兼情報選択キー）２−１と、確定キー（指紋入力部兼情報確定キー）２−２と、表示部２−３と、ＣＰＵ２−４と、ＲＡＭ２−５と、フラッシュメモリ２−６と、赤色のＬＥＤ２−７と、インタフェース２−８〜２−１１とを備えている。
【００１９】
ＣＰＵ２−４はフラッシュメモリ２−６に格納されているプログラムに従って動作する。ＬＥＤ２−７は指紋入力部を兼ねる確定キー２−２の指紋採取面を照明する。フラッシュメモリ２−６には、入室許可者を認証するための登録指紋および暗証番号が、所定の操作により格納されている。
【００２０】
以下、図４〜６を用いて、この指紋照合装置２における各種の操作（指紋照合操作、暗証照合操作、各種設定操作）について説明する。なお、この各種操作に入る前の状態として、指紋照合装置２の表示部２−３は「無表示」の状態とされているものとする（図４（ａ），図５（ａ），図６（ａ）参照）。また、この各種操作の処理は、フラッシュメモリ２−６に格納されているプログラムに従ってＣＰＵ２−４が実行する。
【００２１】
〔指紋照合操作〕
管理対象室１に入室したい場合、入室希望者は、指紋照合装置２の選択キー２−１をタッチする（図４（ｂ））。すると、表示部２−３の画面上に、操作メニューＭが表示される（図４（ｃ））。この例では、操作メニューＭとして、「指紋照合」，「暗証照合」，「戻る」などのメニューがスクロール可能に表示される。また、操作メニューＭに対して、現在のメニューの選択位置を示す矢印マークＹが表示される。
【００２２】
入室希望者は、操作メニューＭより、「指紋照合」を選択する。この場合、矢印マークＹはすでに「指紋照合」の位置にあるので、選択操作は不要である。もし、この時、矢印マークＹが「指紋照合」の位置になければ、選択キー２−１をタッチし、矢印マークＹを移動させて、「指紋照合」の位置に合わせる。
【００２３】
そして、矢印マークＹを「指紋照合」の位置に合わせた状態で、確定キー２−２をタッチする（図４（ｄ））。すると、操作メニューＭにおける「指紋照合」が有効情報として確定され、表示部２−３の画面上に指紋の入力を促す操作案内（メッセージ）が表示される（図４（ｅ））。この操作案内に促されて、入室希望者は、指紋入力部を兼ねる確定キー２−２に指を置く（図４（ｆ））。
【００２４】
すると、ＣＰＵ２−４は、この確定キー２−２に置かれた指の指紋を読み取り、フラッシュメモリ２−６に格納されている登録指紋と照合する（図４（ｇ））。この場合、確定キー２−２を介して読み取った照合指紋とフラッシュメモリ２−６に格納されている全ての登録指紋との照合（１：Ｎ照合）を行い、照合指紋と一致する登録指紋があれば、表示部２−３に「照合ＯＫ」の表示を行う（（図４（ｈ））。また、電気錠コントローラ６に指令を送り、電気錠５を解錠する（図４（ｉ））。
【００２５】
なお、解錠後、何の操作も行われず、所定時間が経過すれば（タイムアウト）、表示部２−３は「無表示」の状態に戻る（図４（ｋ））。また、所定時間が経過する前に、選択キー２−１がタッチされれば（図４（ｊ））、表示部２−３は直ちに「無表示」の状態に戻る（図４（ｋ））。
【００２６】
〔暗証照合操作〕
管理対象室１に入室したい場合、入室希望者は、指紋照合装置２の選択キー２−１をタッチする（図５（ｂ））。すると、表示部２−３の画面上に、操作メニューＭが表示される（図５（ｃ））。
【００２７】
入室希望者は、操作メニューＭより、「暗証照合」を選択する。この場合、矢印マークＹが「指紋照合」の位置にあるので、選択キー２−１を１回タッチし（図５（ｄ））、矢印マークＹを移動させて、「暗証照合」の位置に合わせる（図５（ｅ））。
【００２８】
そして、矢印マークＹを「暗証照合」の位置に合わせた状態で、確定キー２−２をタッチする（図４（ｆ））。すると、操作メニューＭにおける「暗証照合」が有効情報として確定され、表示部２−３の画面上にディスプレイ式のキーボードＫＹが現れる（図４（ｇ））。
【００２９】
このディスプレイ式のキーボードＫＹは、３つの数字群よりなり、第１群は「１」，「２」「３」の数字で構成され、第２群は「４」，「５」，「６」の数字で構成され、第３群は「７」，「８」「９」の数字で構成されている。
【００３０】
入室希望者は、このディスプレイ式のキーボードＫＹを用いて、暗証番号を入力する。例えば、今、暗証番号が「２５８」であるとする。この場合、入室希望者は、選択キー２−１を１回タッチし（図５（ｈ））、矢印マークＹを移動させて、数字「２」に合わせる。そして、確定キー２−２をタッチする（図５（ｉ））。これにより、数字「２」が有効情報として確定され、暗証番号の１桁目が入力される。
【００３１】
次に、選択キー２−１を３回タッチし（図５（ｈ））、矢印マークＹを移動させて、数字「５」に合わせる。そして、確定キー２−２をタッチする（図５（ｉ））。これにより、数字「５」が有効情報として確定され、暗証番号の２桁目が入力される。同様にして、数字「８」を有効情報として確定し、暗証番号の３桁目を入力する。
【００３２】
このようにして、暗証番号「２５８」を入力した後、最終確定として、確定キー２−２をタッチする（図５（ｊ））。すると、ＣＰＵ２−４は、入力された暗証番号「２５８」を入室希望者からの暗証番号として確定し、フラッシュメモリ２−６に格納されている暗証番号と照合する（図４（ｋ））。そして、入力された暗証番号と登録されている暗証番号とが一致すれば、表示部２−３に「照合ＯＫ」の表示を行うと共に（（図４（ｌ））、電気錠コントローラ６に指令を送り、電気錠５を解錠する（図４（ｍ））。
【００３３】
〔各種設定操作〕
指紋照合装置２に対して各種設定を行いたい場合、管理者は、指紋照合装置２の選択キー２−１をタッチする（図６（ｂ））。すると、表示部２−３の画面上に、操作メニューＭが表示される（図６（ｃ））。
【００３４】
管理者は、操作メニューＭより、「管理メニュー」を選択する。この場合、矢印マークＹが「指紋照合」の位置にあるので、選択キー２−１を３回タッチし（図６（ｄ））、矢印マークＹを移動させて、「管理メニュー」の位置に合わせる（図６（ｅ））。
【００３５】
そして、矢印マークＹを「管理メニュー」の位置に合わせた状態で、確定キー２−２をタッチする（図６（ｆ））。すると、操作メニューＭにおける「管理メニュー」が有効情報として確定され、表示部２−３の画面上に指紋の入力を促す操作案内（メッセージ）が表示される（図６（ｇ））。この操作案内に促されて、管理者は、指紋入力部を兼ねる確定キー２−２に指を置く（図６（ｈ））。
【００３６】
すると、ＣＰＵ２−４は、この確定キー２−２に置かれた指の指紋を読み取り、フラッシュメモリ２−６に格納されている登録指紋と照合する（図６（ｉ）））。この場合、確定キー２−２を介して読み取った照合指紋とフラッシュメモリ２−６に格納されている管理者の登録指紋との照合（１：１照合）を行い、照合指紋と登録指紋とが一致すれば、表示部２−３に管理メニューＭ１を表示する（（図６（ｊ））。
【００３７】
管理メニューＭ１には、「登録削除」，「その他設定」，「戻る」などのメニューがスクロール可能に表示される。また、管理メニューＭ１に対して、現在のメニューの選択位置を示す矢印マークＹが表示される。管理者は、選択キー２−１を使用しての選択と、確定キー２−２を使用しての確定とにより、管理メニューＭ１の階層構造を辿って行き、所望の管理項目に対して設定を行う。
【００３８】
以上の説明から分かるように、本実施の形態の指紋照合装置２によれば、選択キー２−１と確定キー２−２と表示部２−３との組合せでテンキー部と同等の機能を得ることができる。また、確定キー２−２より指紋を入力することができ、専用の指紋入力部を必要としない。これにより、装置表面からテンキー部や専用の指紋入力部がなくなり、正面のスペースがテンキー部や専用の指紋入力部を設ける場合と比較して遙かに小さくなる。また、使用するキーの数が２つであるので、キーの故障により装置が使用できなくなる可能性が小さくなり、低コストともなる。
【００３９】
なお、この実施の形態では、指紋照合操作として１：Ｎ照合を行う場合について説明したが、表示部２−３の画面上に暗証照合操作時と同様にしてディスプレイ式のキーボードＫＹを出現させることにより、登録時に割り当てられたＩＤナンバ（識別番号）を入力し、そのＩＤナンバに応ずる登録指紋をメモリから読み出して、照合指紋と登録指紋との１：１照合を行うようにすることも可能である。
【００４０】
また、この実施の形態では、操作メニューＭや管理メニューＭ１に「戻る」を設けているので、この「戻る」を選択して確定することにより前画面へ戻ることができ、キャンセルキーをわざわざ用意する必要がない。
【００４１】
また、この実施の形態では、ディスプレイ式のキーボードＫＹを３つの数字群により構成したが、これに限られるものでないことは言うまでもない。例えば、表示窓を１つとし、この表示窓にスクロール可能に全ての数字を表示するようにしてもよい。また、数字ではなく、アルファベットなどの文字としてもよく、数字やアルファベットの文字を組み合わせてもよい。
【００４２】
また、この実施の形態では、選択キー２−１にスタートキーを兼ねさせたが、確定キー２−２に指紋入力部とスタートキーを兼ねさせるようにしてもよい。また、電力消費が大きくはなるが、表示部２−３を常に表示状態（操作メニューＭを表示させた状態）とし、スタートキーを用いない構成としてもよい。。
【図面の簡単な説明】
【００４３】
【図１】本発明に係る指紋照合装置の一実施の形態の概略を示す正面図である。
【図２】この指紋照合装置を用いた入退室管理システムの一例を示す図である。
【図３】この指紋照合装置のハード構成の概略を示す図である。
【図４】この指紋照合装置における指紋照合操作の操作過程を説明する図である。
【図５】この指紋照合装置における暗証照合操作の操作過程を説明する図である。
【図６】この指紋照合装置における各種設定操作の操作過程を説明する図である。
【図７】従来の指紋照合装置の概略を示す正面図である。
【符号の説明】
【００４４】
２…指紋照合装置、２−１…選択キー（スタートキー兼情報選択キー）、２−２…確定キー（指紋入力部兼情報確定キー）、２−３…表示部、２−４…ＣＰＵ、２−５…ＲＡＭ、２−６…フラッシュメモリ、２−７…ＬＥＤ、２−８〜２−１１…インタフェース、Ｍ…操作メニュー、Ｍ１…管理メニュー、Ｙ…矢印マーク、ＫＹ…ディスプレイ式のキーボード。
【図１】
2007148801.tif 000003
【図２】
2007148801.tif 000004
【図３】
2007148801.tif 000005
【図４】
2007148801.tif 000006
【図５】
2007148801.tif 000007
【図６】
2007148801.tif 000008
【図７】
2007148801.tif 000009